(57)【要約】【課題】断熱カバーを構成する部位同士の縫合部における断熱性能を向上させる。【解決手段】断熱カバーは、発熱部位を覆うカバー本体１１を備える。カバー本体１１は複数の部位（周面カバー部１２、側面カバー部１３）に分割されている。各部位同士が縫合されてカバー本体１１が形成されている。各部位同士の境界部を覆うようにカバー本体１１に補助断熱材２３が配置されている。補助断熱材２３は、内側補助断熱材２４と外側補助断熱材２５とからなる。【選択図】図２
2010096299.tif 000002
【特許請求の範囲】
【請求項１】
発熱部位を有する構造物に装着される断熱カバーであって、
前記発熱部位を覆うカバー本体を備え、
該カバー本体は複数の部位に分割され、各部位同士が縫合されてカバー本体が形成され、
前記各部位同士の境界部を覆うように前記カバー本体に補助断熱材が配置されている、ことを特徴とする断熱カバー。
【請求項２】
前記補助断熱材は、前記カバー本体の内側に設けられた内側補助断熱材と、前記カバー本体の外側に設けられた外側補助断熱材とからなる請求項１記載の断熱カバー。
【請求項３】
前記各部位の縁部が前記カバー本体の内側又は外側に突出し、この突出した部位において前記各部位同士が縫合されており、
前記補助断熱材は前記突出した部位を覆うように湾曲した断面形状を有する請求項１又は２記載の断熱カバー。
【請求項４】
前記縫合部は、複数列の縫目を有する請求項１乃至３のいずれか一項に記載の断熱カバー。
【発明の詳細な説明】
【技術分野】
【０００１】
本発明は、発熱部位を有する構造物に装着される断熱カバーに関する。
【背景技術】
【０００２】
舶用ディーゼルエンジン等の大型内燃機関に装備される排気タービン過給機では、高温となるタービンハウジングやコンプレッサハウジングに人が触れる可能性があるため、人が触れる可能性のある部分の表面温度が所定値以下となるように、断熱カバーが装着される。
【０００３】
従来の断熱カバーを示すものとしては、例えば下記特許文献１がある。図５は、特許文献１に記載された断熱カバーを示す図である。断熱カバーは、ハウジングのスクロール部における周面に合わせて形成した外周部３１と、スクロール部における両端面に合う渦巻状に形成した２つの端面部３２，３２とを縫合あるいはフォークリング等により接合して立体的なカバー本体３１を形成し、各端面部３２の両端部にベルト３３及びバックル３４をそれぞれ取付けた構成となっている。外周部３１と各端面部３２は、それぞれ、耐熱布からなる袋の内部に断熱材を収納した構造となっている。ハウジングへの断熱カバーの装着は、ハウジングにカバー本体３１を被せ、各バックル３４に対応するベルトを通して締め付けることにより行う。
【０００４】
【特許文献１】特開平７−１８９７２５号公報（段落０００３、図１２〜１４）
【発明の開示】
【発明が解決しようとする課題】
【０００５】
上記従来の断熱カバーでは、カバーを構成する各部位３１，３２同士の縫合部には断熱材が入らず、局所的に薄くなるために、縫合部の断熱性能が他の部分（断熱材が入った部分）よりも低下し、温度が高くなるという問題がある。
【０００６】
本発明は、上記の問題に鑑みてなされたものであり、断熱カバーを構成する部位同士の縫合部における断熱性能を向上させることを課題とする。
【課題を解決するための手段】
【０００７】
上記の問題を解決するため、本発明の断熱カバーは、以下の技術的手段を採用する。
（１）本発明は、発熱部位を有する構造物に装着される断熱カバーであって、前記発熱部位を覆うカバー本体を備え、該カバー本体は複数の部位に分割され、各部位同士が縫合されてカバー本体が形成され、前記各部位同士の境界部を覆うように前記カバー本体に補助断熱材が配置されている、ことを特徴とする。
【０００８】
上記の構成によれば、補助断熱材により縫合部からの熱の漏れを減らすことができるので、断熱性能を向上させることができる。
【０００９】
（２）また、上記（１）の断熱カバーにおいて、前記補助断熱材は、前記カバー本体の内側に設けられた内側補助断熱材と、前記カバー本体の外側に設けられた外側補助断熱材とからなる。
【００１０】
上記の構成によれば、内側と外側の補助断熱材により縫合部からの熱の漏れを減らすことができるので、断熱性能を一層向上させることができる。
【００１１】
（３）また、上記（１）又は（２）の断熱カバーにおいて、前記各部位の縁部が前記カバー本体の内側又は外側に突出し、この突出した部位において前記各部位同士が縫合されており、前記補助断熱材は前記突出した部位を覆うように湾曲した断面形状を有する。
【００１２】
上記の構成によれば、補助断熱材が湾曲した断面形状を有するので、突出した部位の形状に適合しやすく配置が容易である。
【００１３】
（４）また、上記（１）乃至（３）のいずれかの断熱カバーにおいて、前記縫合部は、複数列の縫目を有する。
【００１４】
上記の構成によれば、縫合を強化できるので、縫合部からの熱の漏れを減らし、断熱性能を一層向上させることができる。
【発明の効果】
【００１５】
本発明によれば、断熱カバーを構成する部位同士の縫合部における断熱性能を向上させることができる。
【発明を実施するための最良の形態】
【００１６】
以下、本発明の好ましい実施形態を添付図面に基づいて詳細に説明する。なお、各図において共通する部分には同一の符号を付し、重複した説明を省略する。
【００１７】
図１は本発明の断熱カバーの実施形態を示す図である。図２は図１のＩＩ−ＩＩ線断面図である。
【００１８】
図１において、断熱カバー１０は発熱部位１Ａを有する構造物１に装着されている。本実施形態において構造物１はハウジング（例えば過給機のタービンハウジングやコンプレッサハウジングなど）であり、発熱部位１Ａはハウジングのスクロール部である。スクロール部は、ハウジングのうち、内部に環状空間を形成する部分である。断熱カバー１０が装着される構造物１はハウジングに限られず、発熱部位１Ａを有する限り、他の構造物であってもよい。
【００１９】
断熱カバー１０は、構造物１の発熱部位１Ａを覆うカバー本体１１を備える。図１及び図２に示すように、カバー本体１１は、外周側が閉じ、内周側が開放した断面形状を有し、構造物１の発熱部位１Ａを覆うように周方向に延びて全体がカタツムリ形状をなしている。
【００２０】
また断熱カバー１０は、カバー本体１１の周方向の両端部が締結手段２６によって締結されることで、構造物１に固定されるようになっている。締結手段２６としては、図１に示すように、たとえば、ベルト２７とバックル２８とにより構成したものを適用できる。
【００２１】
図２に示すように、カバー本体１１は、複数の部位に分割されており、各部位同士が縫合されて立体的なカバー形状を構成している。本実施形態では、カバー本体は３つの部位に分割されており、主として発熱部位１Ａの外周部分を覆う周面カバー部１２と、主として発熱部位１Ａの側面部分を覆う２つの側面カバー部１３，１３とからなる。
【００２２】
各部位同士を縫合する方法は種々考えられるが、図示例では、周面カバー部１２と側面カバー部１３の縁部を重ね合わせ、この重ね合せ部分を縫合したものであり、縫合部２１が突条となってカバー本体１１の外側に突出している。
【００２３】
分割された各部位（図示例では周面カバー部１２と側面カバー部１３）は、それぞれ、断熱材（例えば、グラスウールなど）１４と、この断熱材１４を収納する袋１５とからなる。袋１５は、耐熱材（例えば、ガラスクロスなど）からなる表面材１５ａと裏面材１５ｂが縫合されて袋形状をなしたものである。
【００２４】
図２に示すように、各部位同士の境界部を覆うようにカバー本体１１に補助断熱材２３が配置されている。本実施形態において、補助断熱材２３は、カバー本体１１の内側に周面カバー部１２と側面カバー部１３の境界部を覆うように設けられた内側補助断熱材２４と、カバー本体１１の外側に周面カバー部１２と側面カバー部１３の境界部を覆うように設けられた外側補助断熱材２５とからなる。内側補助断熱材２４と外側補助断熱材２５としては、グラスウールなどを適用することができる。
【００２５】
内側補助断熱材２４と外側補助断熱材２５は、カバー本体１１の形状に合わせて周方向に延びている。内側補助断熱材２４と外側補助断熱材２５は、縫合や接着剤などによる接着によって、カバー本体１１に固定することができる。
【００２６】
上記のように構成された断熱カバー１０によれば、補助断熱材２３により縫合部２１からの熱の漏れを減らすことができるので、断熱性能を向上させることができる。補助断熱材２３は、カバー本体１１を構成する分割された各部位（図示例では周面カバー部１２と側面カバー部１３）の境界部を覆うものであれば、カバー本体１１の内側と外側のいずれか一方にのみ配置される構成の場合でも断熱性能の向上効果が得られるが、本実施形態のように、内側補助断熱材２４と外側補助断熱材２５とからなる構成とすることにより、縫合部２１からの熱の漏れをより効果的に減らすことができるので、断熱性能を一層向上させることができる。
【００２７】
図２の構成例では、外側補助断熱材２５は、カバー本体１１の外側に突出した縫合部２１を覆うように湾曲した断面形状を有する。この構成によれば、外側補助断熱材２５が湾曲した断面形状を有するので、突出した縫合部２１の形状に適合しやすく配置が容易である。
【００２８】
図２に示すように、縫合部２１は複数列の縫目２２を有するのが好ましい。図２の構成例では、縫合部２１の縫目２２は３重となっている。このように構成することにより、縫合を強化できるので、縫合部２１からの熱の漏れを減らし、断熱性能を一層向上させることができる。
【００２９】
図３は、断熱カバー１０の別の構成例を示す断面図である。図３において、カバー本体１１が３つの部位（周面カバー部１２と２つの側面カバー部１３）に分割され、各部位が縫合されている点は図２と同様である。図２の構成例と異なり、図３の構成例では、縫合部２１がカバー本体１１の内側に突出して突条を形成しており、内側補助断熱材２４は、縫合部２１の突出した部位を覆うように湾曲した断面形状を有する。
【００３０】
外側補助断熱材２３は、周面カバー部１２と側面カバー部１３の境界部を覆うようにカバー本体１１の外側に設けられている。内側補助断熱材２４と外側補助断熱材２５は、図２の構成例と同様に、カバー本体１１の形状に合わせて周方向に延びている。
【００３１】
図３の構成例における上記以外の部分の構成は、図２の構成例と同じである。図３の構成例によっても、内側補助断熱材２４と外側補助断熱材２５により縫合部２１からの熱の漏れを減らすことができるので、断熱性能を向上させることができる。
【００３２】
上記において説明した図２及び図３の構成例では、カバー本体を３分割した構成としているが、３分割に限らず２分割や４分割以上としてもよい。図４は、カバー本体を２分割した構成例を示す。
【００３３】
図４に示すように、カバー本体１１は、発熱部位１Ａの外周面から一側端面（図４で左側の側面）にわたる範囲を覆う第１部位１６と、発熱部位１Ａの外周面から他側端面（図４で右側の側面）にわたる範囲を覆う第２部位１７とからなり、第１部位１６と第２部位１７の縁部同士が縫合されて立体的なカバー形状を構成している。
【００３４】
図４の構成例では、第１部位１６と第２部位１７は、これらの外周縁部がカバー本体１１の内側に突出するように縫合されている。
カバー本体１１の内側において、縫合部２１の発熱部位１Ａ側に、周方向に延びる内側補助断熱材２４が配置されている。
カバー本体１１の外側において、第１部位１６と第２部位１７の境界部を覆うように周方向に延びる外側補助断熱材２５が配置されている。
【００３５】
図４に示した内側補助断熱材２４は湾曲した断面形状を有していないが、図３に示した内側補助断熱材２４と同様に、縫合部２１の突出した部位を覆うように湾曲した断面形状を有するものであってもよい。
【００３６】
図４の構成例では、第１部位１６と第２部位１７は、これらの外周縁部がカバー本体１１の内側に突出するように縫合されているが、このような縫合形態に代えて、第１部位１６と第２部位１７の外周縁部がカバー本体１１の外側に突出するように縫合される縫合形体であってもよい。この場合、外側補助断熱材２５は、縫合部２１の突出した部位を覆うように湾曲した断面形状を有するものであってもよい。
【００３７】
図４の構成例における上記以外の部分の構成は、図３の構成例と同じである。図４の構成例によっても、内側補助断熱材２４と外側補助断熱材２５により縫合部２１からの熱の漏れを減らすことができるので、断熱性能を向上させることができる。
【００３８】
なお、上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【図面の簡単な説明】
【００３９】
【図１】本発明の断熱カバーの実施形態を示す図である。
【図２】図１のＩＩ−ＩＩ線断面図である。
【図３】断熱カバーの別の構成例を示す図である。
【図４】断熱カバーのさらに別の構成例を示す図である。
【図５】従来の断熱カバーの構成を示す図である。
【符号の説明】
【００４０】
１  ハウジング
１Ａ  スクロール部
１０  断熱カバー
１１  カバー本体
１２  周面カバー部
１３  側面カバー部
１４  断熱材
１５  袋
１５ａ  表面材
１５ｂ  裏面材
１６  第１部位
１７  第２部位
２０  空気層
２１  縫合部
２２  縫目
２３  補助断熱材
２４  内側補助断熱材
２５  外側補助断熱材
【図１】
2010096299.tif 000003
【図２】
2010096299.tif 000004
【図３】
2010096299.tif 000005
【図４】
2010096299.tif 000006
【図５】
2010096299.tif 000007